(57)【要約】【課題】落下衝撃に耐性を有するレンズ駆動装置を提供する。【解決手段】筐体と、前記筐体内に配置され、レンズを支持するレンズホルダと、前記筐体に対して前記レンズホルダを、前記レンズの光軸方向に移動可能に支持する板バネと、前記レンズホルダを前記光軸方向に移動させる駆動部と、を備え、前記レンズホルダは、前記板バネと対向する位置に傾斜を有する、レンズ駆動装置を採用する。【選択図】図３
2018040985.tif 000002
【特許請求の範囲】
【請求項１】
筐体と、
前記筐体内に配置され、レンズを支持するレンズホルダと、
前記筐体に対して前記レンズホルダを、前記レンズの光軸方向に移動可能に支持する板バネと、
前記レンズホルダを前記光軸方向に移動させる駆動部と、を備え、
前記レンズホルダは、前記板バネと対向する位置に傾斜を有する、
レンズ駆動装置。
【請求項２】
前記レンズホルダは、前記板バネの撓み形状に沿った傾斜を有する、
請求項１に記載のレンズ駆動装置。
【請求項３】
前記レンズホルダは、前記板バネが撓んだ状態のとき、前記板バネと面で接触する傾斜を有する、
請求項２に記載のレンズ駆動装置。
【請求項４】
前記板バネは孔部を有しており、
前記レンズホルダは、前記孔部と嵌合する突起部を有している、
請求項１〜請求項３のいずれか１項に記載のレンズ駆動装置。
【請求項５】
前記突起部は、先端に向かって外径が小さくなっている、
請求項４に記載のレンズ駆動装置。
【請求項６】
一端が前記板バネに連結され、他端が前記筐体に連結され、前記レンズの光軸と直交する方向へ移動可能に前記レンズホルダを支持するワイヤと、
前記レンズホルダを前記光軸と直行する方向に移動させる直交駆動部と、をさらに備える、
請求項１〜請求項４のいずれか１項に記載のレンズ駆動装置。
【請求項７】
前記筐体は、前記光軸に直行する平面において略方形であり、
前記ワイヤは、前記略方形を成す前記筐体の隅部において、前記板バネに一端が連結される、
請求項６に記載のレンズ駆動装置。
【請求項８】
請求項１〜請求項７のいずれか１項に記載のレンズ駆動装置と、
前記レンズを透過した光を受光して撮像する撮像部と、を備える、
撮像装置。
【請求項９】
請求項１〜請求項７のいずれか１項に記載のレンズ駆動装置を備えるカメラユニット。
【発明の詳細な説明】
【技術分野】
【０００１】
本発明の一態様は、レンズ駆動装置等に関する。
【背景技術】
【０００２】
従来から、カメラなどの撮像装置において焦点補正および手振れを補正するためのレンズ駆動装置がある。このようなレンズ駆動装置として、例えば特許文献１〜特許文献３に記載された技術がある。
【先行技術文献】
【特許文献】
【０００３】
【特許文献１】特開２０１３−２２２０５１号公報
【特許文献２】特開２０１５−１１４３７９号公報
【特許文献３】特開２０１３−１５６４３６号公報
【発明の概要】
【発明が解決しようとする課題】
【０００４】
しかし、上記従来のレンズ駆動装置では、板バネを備える構成としているが、落下の際の衝撃などによって板バネが変形または破損してしまうなどの課題があった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
筐体（１、９、１０）と、
前記筐体内に配置され、レンズを支持するレンズホルダ（３）と、
前記筐体に対して前記レンズホルダを、前記レンズの光軸方向に移動可能に支持する板バネ（２）と、
前記レンズホルダを前記光軸方向に移動させる駆動部（５ａ〜５ｄ、３ｂ、７ａ及び７ｂ）と、を備え、
前記レンズホルダ（３、４）は、前記板バネと対向する位置に傾斜（４１ａ、４１ｂ）を有する、
レンズ駆動装置である。
【０００７】
上記構成のレンズ駆動装置では、レンズ駆動装置に落下などの外部からの衝撃が加えられたときに、板バネがレンズホルダに衝突して破損または変形することを抑制することができる。また、板バネが撓みすぎることで板バネが破損または変形することを抑制することができる。
【０００８】
上記レンズ駆動装置において、好ましくは、
前記レンズホルダ（３）は、前記板バネの撓み形状に沿った傾斜（４１ａ、４１ｂ）を有する。
【０００９】
上記構成のレンズ駆動装置によれば、外部衝撃などにより板バネが撓む際に、板バネがレンズホルダの傾斜に接することとなるため、より効果的に板バネの破損や変形を抑制することができる。
【００１０】
上記レンズ駆動装置において、好ましくは、
前記レンズホルダ（３）は、前記板バネが撓んだ状態のとき、前記板バネと面で接触する傾斜（４１ａ、４１ｂ）を有する。
【００１１】
上記構成のレンズ駆動装置では、外部衝撃などにより板バネが撓む際に、板バネがレンズホルダの傾斜に面で接することとなるため、さらに効果的に板バネの破損や変形を抑制することができる。
【００１２】
上記レンズ駆動装置において、好ましくは、
前記板バネ（２）は孔部（２１ａ〜２１ｄ）を有しており、
前記レンズホルダ（３及び４）は、前記孔部と嵌合する突起部（４２ａ〜４２ｄ）を有している。
【００１３】
上記構成のレンズ駆動装置では、組み立て工程において板バネとレンズホルダとを接着する際に、孔部と突起部との接触位置に接着剤を与えることで、板バネとレンズホルダとの間に接着剤を浸透させやすくすることができる。これにより、板バネとレンズホルダとを強固に接着させ、または組み立て工程を簡易化することなどが可能となる。
【００１４】
上記レンズ駆動装置において、好ましくは、
前記突起部は、先端に向かって外径が小さくなっている。
【００１５】
上記構成のレンズ駆動装置では、板バネとレンズホルダとの間に、接着剤をより浸透させやすくすることが可能となる。
【００１６】
上記レンズ駆動装置において、好ましくは、
一端が前記板バネに連結され、他端が前記筐体に連結され、前記レンズの光軸と直交する方向へ移動可能に前記レンズホルダを支持するワイヤ（８ａ〜８ｄ）と、
前記レンズホルダを前記光軸と直行する方向に移動させる直交駆動部と、をさらに備える。
【００１７】
上記レンズ駆動装置において、好ましくは、
前記筐体は、前記光軸に直行する平面において略方形であり、
前記ワイヤは、前記略方形を成す前記筐体の隅部において、前記板バネに一端が連結される。
【００１８】
また、本発明は、上記いずれかのレンズ駆動装置と、
前記レンズを透過した光を受光して撮像する撮像部と、を備える、
撮像装置を含む。
【００１９】
また、本発明は、上記いずれかのレンズ駆動装置を備えるカメラユニットを含む。
【００２０】
上記の撮像装置またはカメラユニットによれば、落下したとしても破損しづらいレンズ駆動装置などを備える構成とすることができる。これにより、撮像装置などの耐久性を高めることなどが可能となる。
【図面の簡単な説明】
【００２１】
【図１】レンズ駆動装置の分解斜視図。
【図２】レンズ駆動装置の六面図。
【図３】レンズ駆動装置の外観斜視図。
【発明を実施するための形態】
【００２２】
本発明の実施形態におけるレンズ駆動装置は、カメラやスマートフォンなどに搭載される撮像装置においてオートフォーカス機能及び手振れ補正機能などの機能の実現のためにレンズを移動可能に支持する構成である。特に、本実施形態のレンズ駆動装置は、落下時の衝撃などの外力が与えられた場合にも板バネ（上側板バネ）が破損または変形しづらい構成としている点を、特徴の一つとしている。また、本実施形態のレンズ駆動装置の別の特徴は、レンズホルダ（またはレンズホルダを支持する可動部材）に突起部が形成され、板バネの孔部に嵌合し、この嵌合部に接着剤が配置されている点である。これにより、本実施形態のレンズ駆動装置では、レンズホルダと板バネとを強固に接着することができている。なお、本明細書では、説明の容易化のために「上側」または「下側」という呼称を用いるが、これらは図面上の位置関係を相対的に示しただけであって、「上側」が「下側」よりも必ずしも重力方向の下側にあるわけではない。
【００２３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．本発明の特徴
３．補足事項
【００２４】
＜１．実施形態＞
図１は、本実施形態のレンズ駆動装置の分解斜視図である。図２は、本実施形態のレンズ駆動装置の六面図である。図３は、本実施形態のレンズ駆動装置の外観斜視図である。
【００２５】
主に図１に示されるように、本実施形態のレンズ駆動装置は、上側カバー１、上側板バネ２、レンズホルダ３、可動部材４、マグネット５ａ〜５ｄ、下側板バネ６、コイル７ａ及び７ｂ、サスペンションワイヤ８ａ〜８ｄ、ベースプレート９、並びに下側カバー１０を含んで構成される。なお、上側カバー１と下側カバー１０とを組み合わせたもの、またはこれらにさらにベースプレートを加えたものを指して「筐体」と呼ぶことがある。この「筐体」は、本実施形態のレンズ駆動装置の全体を覆いながら支持するものであり、本発明の「筐体」の一例である。また、本実施形態の筐体は、レンズの光軸と直交する平面において略方形状であり、略方形状を成す筐体の各頂点の部分は隅部となる。
【００２６】
＜上側カバー１、下側カバー１０、ベースプレート９＞
上側カバー１は、レンズ駆動装置に含まれる各構成の外側を覆うよう形成された箱状の筐体部分であって、下側カバー１０が位置する方向が開放された構成となっている。下側カバー１０は、上側カバー１の開放位置を覆うような平板状に形成され、上側カバー１と連結されることでレンズ駆動装置の周囲を６方向から覆う筐体となるよう構成されている。ベースプレート９は、下側カバー１０より上側カバー１に近い位置に、下側カバー１０に接するよう配置されており、上側カバー１及び下側カバー１０とともに、レンズ駆動装置の各構成を支持しながら覆うよう構成されている。上側カバー１、下側カバー１０、及びベースプレート９は、撮像対象から撮像素子に向かう光軸を中心とする開口部（１ａを含む）を備える。ベースプレート９の四隅には、後述するサスペンションワイヤ８ａ〜８ｄを固定するワイヤ固定部が設けられている。ベースプレート９には、制御部などが搭載される。上側カバー１及びベースプレート９は、レンズホルダ３及び可動部材４の移動を規制するストッパとしても機能する。上側カバー１、下側カバー１０、及びベースプレート９は、磁性体の金属で形成される。
【００２７】
＜上側板バネ２＞
上側板バネ２は、図１に示されるように２枚に分離された板バネであって、上側カバー１の開口部１ａに近接する位置に配置される。上側板バネ２は、下側板バネ６とともに、レンズホルダ３をレンズの光軸方向に移動可能かつ弾性的に支持している。上側板バネ２は、レンズホルダ３の四隅を支持する。これらの上側板バネ２及び下側板バネ６は、板バネの特性として、変位量が大きくなるほど大きな付勢力を発生することでレンズホルダ３の位置を調整している。図３に示されるように、上側板バネ２は、下側に大きく撓む際には可動部材４の傾斜部４１ａ及び４１ｂの位置に当接することで撓みが停止する。上側板バネ２及び下側板バネ６は、例えば銅などで形成される。上側板バネ２は、後述する可動部材４に形成された突起部４２ａ〜４２ｄと嵌合する孔部２２ａ〜２２ｄを有する。孔部２２ａ〜２２ｄと突起部４２ａ〜４２ｄとの嵌合及び接着については後述する。なお、上側板バネ２は、本発明の「板バネ」の一例である。
【００２８】
＜レンズホルダ３＞
レンズホルダ３は、上側カバー１、下側カバー１０、及びベースプレート９を含む筐体の内側に配置され、開口部３ａの内側に一以上のレンズを固定して支持する。レンズホルダ３は、例えば樹脂で成形されている。レンズホルダ３の外周には、コイル３ｂが巻き回されている。レンズホルダ３の四隅であって、レンズホルダ３と可動部材４との間にはマグネット５ａ〜５ｄが配置される。
【００２９】
レンズホルダ３は、可動部材４とともに、光軸方向及び光軸に直交する方向に移動可能であって、上側板バネ２及び下側板バネ６により弾性的に支持されている。レンズホルダ３は、可動部材４とともに、コイル３ｂ、７ａ、及び７ｂへの通電によって、光軸方向または光軸に直交する方向に移動し、これによって手振れの補正及びフォーカス（焦点）調整などが行われる。
【００３０】
＜可動部材４＞
可動部材４は、光軸方向に延びる四角柱状の枠状部材であり、その内部にレンズホルダ３及びマグネット５ａ〜５ｄを保持する。可動部材４は、レンズホルダ３とともに、上側板バネ２及び下側板バネ６により支持される。可動部材４は、マグネット５ａ〜５ｄの磁路形成のためのヨークとしても機能する。なお、本発明では、レンズホルダ３と可動部材４とを総称して「レンズホルダ」と称することがある。レンズホルダ３と可動部材４とは、互いに連結された一構成として形成されてもよい。
【００３１】
図３に示されるように、可動部材４は、レンズホルダ３よりも外側に配置されており、その上側の面は上側板バネ２に対向している。図３に示されるように、可動部材４の上側の面の一辺は、辺の中心部から外側に向かって、下側に下がっていく傾斜４１ａ及び４１ｂを有している。より具体的には、可動部材４は、上側板バネ２の第１板バネ部２１ａに対向する位置に傾斜４１ａを有し、上側板バネ２の第２板バネ部２１ｂに対向する位置に傾斜４１ｂを有している。この傾斜４１ａ及び４１ｂは、それぞれ第１板バネ部２１ａ及び第２板バネ部２１ｂの撓み形状に沿った傾斜となっている。第１板バネ部２１ａ及び第２板バネ部２１ｂが大きく撓んだ状態では、第１板バネ部２１ａと傾斜４１ａとが面で接触し、第２板バネ部２１ｂと傾斜４１ｂとが面で接触する状態となる。可動部材４は、傾斜４１ａ及び４１ｂが形成された辺と対向する辺においても、同様の傾斜を有している。
【００３２】
たとえば、可動部材４に傾斜４１ａ及び４１ｂが形成されていない場合、外部から衝撃が与えられた際、第１板バネ部２１ａなどは、可動部材４の段差などに接触する可能性がある。この場合、第１板バネ部２１ａなどは段差の部分で変形してしまう可能性がある。また、段差の部分を可動部材４からなくしてしまうと、可動部材４の強度が低下する可能性がある。これらに対して、本件のように、第１板バネ部２１ａと傾斜４１ａとが面で接触し、第２板バネ部２１ｂと傾斜４１ｂとが面で接触するようにすると、落下の衝撃などによる第１板バネ部２１ａなどの変形を抑えたうえで、可動部材４の強度を保つことができる。
【００３３】
また、可動部材４は、上側板バネ２と対向する面に、突起部４２ａ〜４２ｄを有する。突起部４２ａ〜４２ｄは、半球状であって、上側（先端側）に向かって外径が徐々に小さくなっている。なお、突起部４２ａ〜４２ｄは、半球状でなく円錐状や四角錐状などの別の形状であってもよい。突起部４２ａ〜４２ｄは、上記のように上側板バネ２の孔部２２ａ〜２２ｄに挿入されるよう組み立てられ、突起部４２ａ〜４２ｄが孔部２２ａ〜２２ｄに嵌合する状態となる。組み立て工程では、組み立て作業員または組み立て機械により、突起部４２ａ〜４２ｄの頂部辺りから、突起部４２ａ〜４２ｄと孔部２２ａ〜２２ｄとの間に向かって接着剤が流し込まれる。流し込まれた接着剤は、突起部４２ａ〜４２ｄの外側を流れて可動部材４の上面に達し、可動部材４の上面と上側板バネ２との間に浸透していく。この接着剤が固化することで、可動部材４と上側板バネ２とが固定される。すなわち、突起部４２ａ〜４２ｄを用いて接着剤を流し込むことで、より確実に可動部材４と上側板バネ２とを固定することができる。
【００３４】
＜マグネット５ａ〜５ｄ＞
マグネット５ａ〜５ｄは、レンズホルダ３の四隅であって、レンズホルダ３と可動部材４との間に配置された永久磁石である。
【００３５】
マグネット５ａ及び５ｂは、後述のコイル７ａ及び７ｂに電圧が与えられることで、コイル７ａ及び７ｂとの間で駆動力を発生させ、これによって光軸方向に直交する方向への駆動力が得られる。つまり、マグネット５ａ及び５ｂとコイル７ａ及び７ｂとは、レンズホルダ３（及びレンズホルダ３に支持されたレンズ）を光軸に直交する方向に移動させるＶＣＭ（Ｖｏｉｃｅ  Ｃｏｉｌ  Ｍｏｔｏｒ、ヴォイス・コイル・モータ）として機能する。これにより、手振れ補正機能が実現される。なお、レンズホルダ３を光軸に直交する方向に移動させるＶＣＭは、第２駆動部または直交駆動部と言われることがあり、本発明の「直交駆動部」の一例である。
【００３６】
マグネット５ｃ及び５ｄは、レンズホルダ３の周囲に巻き付けられたコイル３ｂに電圧が与えられることで、コイル３ｂとの間で駆動力を発生させ、これによって光軸方向への駆動力が得られる。つまり、マグネット５ｃ及び５ｄとコイル３ｂは、レンズホルダ３（及びレンズホルダ３に支持されたレンズ）を光軸方向に移動させるＶＣＭとして機能する。これにより、オートフォーカス機能が実現される。なお、レンズホルダ３を光軸方向に移動させるＶＣＭは、第１駆動部と言われることもある。
【００３７】
マグネット５ａ〜５ｄと、コイル３ｂ、７ａ、及び７ｂは、本発明における「駆動部」の一例である。
【００３８】
＜下側板バネ６＞
下側板バネ６は、上側板バネ２とともにレンズホルダ３を光軸方向に挟む位置であって、ベースプレート９に近い位置に配置される。下側板バネ６は、上側板バネ２とともに、レンズホルダ３を移動可能かつ弾性的に支持している。
【００３９】
＜コイル７ａ及び７ｂ＞
コイル７ａ及び７ｂは、ベースプレート９に取り付けられたコイルである。コイル７ａ及び７ｂは、通電により励磁されて電磁石となることで、マグネット５ａ及び５ｂとの間に吸引力または反発力を発生させる。
【００４０】
＜位置検出素子７ｃ及び７ｄ＞
位置検出素子７ｃ及び７ｄは、ベースプレート９に取り付けられた、レンズホルダ３の位置を検出可能に構成されたセンサであって、例えばホールセンサ（磁気センサ）などが用いられる。位置検出素子７ｃ及び７ｄは、検出したレンズホルダ３の位置情報を制御部（図示せず）に出力し、制御部はこの位置情報に基づいてレンズホルダ３の位置を調整するフィードバック制御を行うことで、手振れ補正及びフォーカス調整が行われる。
【００４１】
なお、レンズホルダ３の光軸方向の位置は、コイル３ｂに供給される電圧値または電流値によって検出することもできる。レンズホルダ３の移動量は、コイル３ｂに供給される電力の電圧値または電流値に比例する。そのため、制御部では、コイル３ｂに供給される電力の電圧値または電流値からレンズホルダ３の光軸方向における位置を算出（検出）することができる。レンズ駆動装置では、位置検出素子７ｃ及び７ｄを用いた位置検出か、またはコイル３ｂに供給される電圧値または電流値を用いた位置検出かのいずれかを適宜採用可能である。
【００４２】
＜サスペンションワイヤ８ａ〜８ｄ＞
サスペンションワイヤ８ａ〜８ｄは、一端が上側板バネ２に連結され、他端がベースプレート９に連結される。すなわち、サスペンションワイヤ８ａ〜８ｄは、略方形を成す筐体の隅部において、上側板バネ２に一端が連結され、ベースプレート９に他端が連結される。これにより、レンズ駆動装置に供給された電力は、ベースプレート９からサスペンションワイヤ８ａ〜８ｄ及び上側板バネ２を介して、上側板バネ２に接続されたコイル３ｂに供給される。また、サスペンションワイヤ８ａ〜８ｄによって、上側板バネ２に連結されたレンズホルダ３が吊られた状態（支持された状態）となる。そのため、レンズホルダ３に支持されたレンズ（図示せず）は、レンズの光軸に直交する平面内で移動可能になる。
【００４３】
＜２．本発明の特徴＞
上記実施形態のレンズ駆動装置では、筐体（上側カバー１、ベースプレート９、及び下側カバー１０）を有する。レンズ駆動装置の筐体内には、レンズを支持するレンズホルダ３と、筐体に対してレンズホルダ３を弾性的に移動可能に支持する上側板バネ２と、一端が上側板バネに２固定され、他端が筐体に固定され、筐体に対して上側板バネ２を移動可能に支持するサスペンションワイヤ８ａ〜８ｄと、レンズホルダ３を光軸方向及び光軸と直交する方向に移動させる駆動部（マグネット５ａ〜５ｄ、並びにコイル３ｂ、７ａ及び７ｂ）と、を備える。可動部材４（レンズホルダ３と一体であってもよい）は、上側板バネ２と対向する位置に傾斜４１ａ及び４１ｂを有している。
【００４４】
上記のような構成の本実施形態のレンズ駆動装置では、レンズ駆動装置に落下などの外部からの衝撃が加えられたときに、上側板バネ２がレンズホルダ３（または可動部材４）に衝突して破損または変形することを抑制することができる。また、上側板バネ２が撓みすぎることで上側板バネ２が破損または変形することを抑制することができる。
【００４５】
また、本実施形態のレンズ駆動装置では、レンズホルダ３（可動部材４）は、上側板バネ２の撓み形状に沿った傾斜４１ａ及び４１ｂを有する。
【００４６】
上記のような構成の本実施形態のレンズ駆動装置では、外部衝撃などにより上側板バネ２が撓む際に、上側板バネ２がレンズホルダ３（可動部材４）の傾斜４１ａ及び４１ｂに接することとなるため、より効果的に板バネの破損や変形を抑制することができる。
【００４７】
また、本実施形態のレンズ駆動装置では、レンズホルダ３（可動部材４）は、上側板バネ２が撓んだ状態のとき、上側板バネ２と面で接触する傾斜４１ａ及び４１ｂを有する。
【００４８】
上記のような構成の本実施形態のレンズ駆動装置では、外部衝撃などにより上側板バネ２が撓む際に、上側板バネ２がレンズホルダ３（可動部材４）の傾斜４１ａ及び４１ｂに面で接することとなるため、さらに効果的に板バネの破損や変形を抑制することができる。
【００４９】
また、本実施形態のレンズ駆動装置では、上側板バネ２は孔部２２ａ〜２２ｄを有しており、レンズホルダ３（可動部材４）は、孔部２２ａ〜２２ｄと嵌合する突起部４２ａ〜４２ｄを有している。
【００５０】
上記のような構成の本実施形態のレンズ駆動装置では、組み立て工程において上側板バネ２とレンズホルダ３（可動部材４）とを接着する際に、孔部２２ａ〜２２ｄと突起部４２ａ〜４２ｄとの接触位置に接着剤を与えることで、上側板バネ２とレンズホルダ３（可動部材４）との間に接着剤を浸透させやすくすることができる。これにより、上側板バネ２とレンズホルダ３（可動部材４）とを強固に接着させ、または組み立て工程を簡易化することなどが可能となる。
【００５１】
また、本実施形態のレンズ駆動装置では、突起部４２ａ〜４２ｄは、先端に向かって外径が小さくなっている。
【００５２】
上記のような構成の本実施形態のレンズ駆動装置では、上側板バネ２とレンズホルダ３（可動部材４）との間に、接着剤をより浸透させやすくすることが可能となる。
【００５３】
また、本実施形態のレンズ駆動装置は、レンズホルダ３に支持されたレンズを透過した光を受光して撮像する撮像素子をさらに備える撮像装置、携帯端末、または電子機器などとして、特に有効に利用される。また、本実施形態のレンズ駆動装置は、カメラユニットとしても有効に利用される。
【００５４】
このような撮像装置などによれば、落下したとしても破損しづらいレンズ駆動装置などを備える構成とすることができる。これにより、撮像装置などの耐久性を高めることなどが可能となる。
【００５５】
＜３．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００５６】
上記実施形態では、大きく２点の特徴を有する構成について説明したが、必ずしもこれらの全ての特徴を有する構成とする必要はなく、いずれかの特徴のみを備える構成としても一定の効果が得られる。
【００５７】
また、上記実施形態では、手振れ補正機能またはフォーカス調整機能について詳細な説明は行っていないが、上記実施形態のレンズ駆動装置では、従来同様の手振れ補正機能及びフォーカス調整機能を有する。
【００５８】
また、上記実施形態では、上側カバー１、下側カバー１０、及びベースプレート９が金属で形成され、板バネ（上側板バネ２及び下側板バネ６）が銅で形成され、レンズホルダ３が樹脂で形成される例を挙げて説明したが、これらの素材は他の素材を利用しても良い。
【００５９】
また、上記実施形態では、開口部は円形または矩形状に形成されていたが、開口部は円形または矩形状に限定されるものでは無く、円形、楕円形、矩形状、またはその他の形状を状況に応じて任意に採用可能である。
【００６０】
また、筐体は、レンズの光軸と直交する平面において、必ずしも方形状または略方形状である必要はなく、レンズの光軸と直交する平面において円形などの方形以外の形状であってもよい。また、筐体がレンズの光軸と直交する平面において円形などであり、隅部に相当する部位がない場合、サスペンションワイヤ８ａ〜８ｄは円形を成す筐体の円周上の任意の位置に配置される。
【産業上の利用可能性】
【００６１】
本発明は、耐久性を高めた、手振れ補正機能を有する撮像装置用のレンズ駆動装置などとして特に効果的に利用される。
【符号の説明】
【００６２】
１…上側カバー
１ａ…開口部
２…上側板バネ
２１ａ…第１板バネ部
２１ｂ…第２板バネ部
２２ａ〜２２ｄ…孔部
３…レンズホルダ
３ａ…開口部
３ｂ…コイル
４…可動部材
４１ａ、４１ｂ…傾斜
４２ａ〜４２ｄ…突起部
５ａ〜５ｄ…マグネット
６…下側板バネ
７ａ、７ｂ…コイル
７ｃ、７ｄ…位置検出素子
８ａ〜８ｄ…サスペンションワイヤ
９…ベースプレート
１０…下側カバー
【図１】
2018040985.tif 000003
【図２】
2018040985.tif 000004
【図３】
2018040985.tif 000005